(57)【特許請求の範囲】
【請求項１】
機器に設けられた表示部の動作モード設定画面を使用者の操作に従って上位の階層の設定画面から下位の階層の設定画面へ順次階層的に切り替えて表示を行うための表示制御装置であって、
使用者の操作に対応した入力を行う操作入力手段と、
少なくとも２つの動作モード設定画面のデータを格納することが可能な複数のフレームメモリと、
上位の階層の画面である第１の動作モード設定画面を第１のフレームメモリに作成して上記表示部に表示し、その後第１の動作モード設定画面に従って行われる上記操作入力手段の入力に応答して、下位の階層の画面である第２の動作モード設定画面を第２のフレームメモリに作成し、上記表示部に表示する表示手段と、
上記表示手段により第１のフレームメモリに上位の階層の画面である第１の動作モード設定画面を作成して表示した後に、第２のフレームメモリに下位の階層の画面である第２の動作モード設定画面を作成して表示した場合であって、上記操作入力手段により再度第１の動作モード設定画面を表示する入力があった時は、上記第１のフレームメモリに格納されている画面のデータを用いて表示を行う制御手段とを備えることを特徴とする表示制御装置。
【発明の詳細な説明】
【０００１】
【産業上の利用分野】
本発明は、画像形成装置等の表示部を備えた機器における表示制御装置に関する。
【０００２】
【従来の技術】
複写機における複写動作モードを設定する場合、表示制御装置には、操作パネルに備えられる表示部の画面の表示に従って、使用者がテンキーや一時変倍キー等の各種設定キーを操作することで表示部の画面を階層的に切り替え、動作モードの設定を行うといったマン・マシンインターフェースの設計がなされている。
【０００３】
ここで、画面の階層的表示とは、使用者が表示部に表示される第１の画面にある動作モードの選択枝から１つを選択した場合、表示制御装置が、これに対応する第２の画面を表示部に表示し、更に使用者が第２の画面に表示される動作モードの選択枝から１つを選択した場合、表示制御装置がこれに対応する第３の画面を表示部に表示するといった画面の表示方法を示す。
【０００４】
例えば表示制御装置は、使用者が操作パネル上の「一時倍率キー」を押下した場合、表示部の画面を初期設定画面から「一時変倍モード」の画面に切り替える処理を行う。次に「一時変倍モード」の画面において、使用者がその変倍方法について倍率値を入力する方法の選択を行った場合には、表示制御装置はこれに対応する「一時変倍値入力画面」を表示する。
【０００５】
【発明が解決しようとする課題】
しかし従来の複写機は、上記操作パネルの表示用に１画面分のフレームメモリしか備えていなかった。このため、操作パネルのキー操作に対応して表示部の画面を切替る毎、フレームメモリに新たに次の画面を作成して表示する必要があり次の画面を表示するのに時間を要する。
【０００６】
また、使用者が操作パネルを操作し、動作モードを設定している際に、入力ミスに気付き、１画面前に戻り設定し直したいと欲するような場合には、フレームメモリに１つ前の画面を再度作成した後に、表示用のＬＣＤに該画面を表示するといった処理が必要となり時間を要する。従って１つ前の画面の表示には、次の画面を表示するのと同じ時間を必要とするが、通常、使用者は、次の画面を表示するのにかかる時間よりも短時間で１つ前の画面に戻り設定のミスを訂正したいと欲する。また、操作を誤った場合は、即座に表示しないと使い勝手が悪いと言った問題がある。
【０００７】
そこで本発明は、使用者が現在表示されている画面よりも次の画面もしくは１つ前の画面に切換たいと欲した場合に、従来よりも高速にこれを表示することが可能な表示制御装置を提供することを目的とする。
【０００８】
【問題を解決するための手段】
本発明に係る表示制御装置は、機器に設けられた表示部の動作モード設定画面を使用者の操作に従って上位の階層の設定画面から下位の階層の設定画面へ順次階層的に切り替えて表示を行うための表示制御装置であって、使用者の操作に対応した入力を行う操作入力手段と、少なくとも２つの動作モード設定画面のデータを格納することが可能な複数のフレームメモリと、上位の階層の画面である第１の動作モード設定画面を第１のフレームメモリに作成して上記表示部に表示し、その後第１の動作モード設定画面に従って行われる上記操作入力手段の入力に応答して、下位の階層の画面である第２の動作モード設定画面を第２のフレームメモリに作成し、上記表示部に表示する表示手段と、上記表示手段により第１のフレームメモリに上位の階層の画面である第１の動作モード設定画面を作成して表示した後に、第２のフレームメモリに下位の階層の画面である第２の動作モード設定画面を作成して表示した場合であって、上記操作入力手段により再度第１の動作モード設定画面を表示する入力があった時は、上記第１のフレームメモリに格納されている画面のデータを用いて表示を行う制御手段とを備える。
【０００９】
【作用】
上記表示制御装置においては、上記表示手段により第１のフレームメモリに所定の画面を作成して表示した後に、使用者による上記操作入力手段の操作に従い第２のフレームメモリに別の画面を作成して表示した場合であって、使用者の上記操作入力手段の操作により前の画面を再び表示する際、上記制御手段により上記第１フレームメモリに格納されている画面を表示する。
【００１０】
【実施例】
以下に、本発明に係る表示制御装置の一実施例について、添付の図面を用いて詳細な説明を以下の順で行う。
（１）複写機の全体構成
（２）表示制御方法
＜２−１＞  制御ブロック
＜２−２＞  動作モード設定時の表示制御処理メインルーチン
【００１１】
（１）複写機の全体構成
図１は、本発明に係る表示制御装置を備える電子写真複写機の全体構成を示す断面図である。この電子写真複写機は、原稿画像データを読み取る光学系１０と、複写部３０とに大きく分けられる。
【００１２】
光学系１０は、原稿ガラス１６の下方で原画像を走査可能に配設したもので、光源１７と、可動ミラー１１，１２及び１３と、モータＭ３により移動されるレンズ１４と、ミラー１５とから構成されている。光源１７及び可動ミラー１１は、感光体ドラム１の回転速度Ｖ（等倍，変倍を問わず一定）に対してＶ／Ｍ（但し、Ｍは複写倍率）の速度で左方向へ移動し、可動ミラー１２，１３は、Ｖ／２Ｍの速度で左方向へ移動するようにＤＣモータＭ４により駆動される。尚、複写倍率の変更に際しては、レンズ１４が光軸上で移動すると共にミラー１５が移動，摺動する動作が伴う。また、スイッチＳＷ１，ＳＷ２は光学系１０の定位置検出スイッチ，タイミングローラの動作信号用のスイッチである。
【００１３】
複写機本体１の略中央部にある複写部３０においては、メインモータＭ１により反時計回り方向に回転駆動される感光体ドラム３が配設され、その周辺にはイレーサランプ４、帯電チャージャ５、モータＭ２で駆動される現像装置６、転写チャージャ７、複写紙の分離チャージャ８、感光体ドラム１の表面をクリーニングするブレード方式のクリーニング装置９等が順次配設されている。一方、複写機本体底部の左側には、それぞれ給紙ローラ２２Ａ，２２Ｂを備えた給紙部２１Ａ，２１Ｂが配設され、複写紙の搬送路はローラ対２４，タイミングローラ対２６，搬送ベルト２７，定着装置２８，排出ローラ対２９にて構成され、複写機本体右側に配設される用紙受け２３へ複写紙を搬送する。
【００１４】
感光体ドラム１は、イレーサランプ４及び帯電チャージャ５を通過することにより増幅帯電され、光学系１０から画像露光１８を受け、ドラム上に原稿画像を形成し、現像装置６においてトナーを受け取り、これを搬送されて来る複写用紙に転写チャージャ７、複写紙の分離チャージャ８を用いて転写する。原稿画像を転写された複写用紙は、定着装置２８でトナーを定着されてから排出ローラ２９によって排出される。
【００１５】
図２は、本発明に係る表示制御装置により表示制御される表示用ＬＣＤ２０２を備える操作パネル２００を示す。操作パネル２００は、複写枚数などの情報を入力するためのテンキー２０１と、使用者により動作モードの設定がされる際には、各モード設定画面を表示すると共に、複写動作中には、現在複写中である旨の表示をし、複写機にトラブルが生じた場合には該トラブルの原因を表示する表示用ＬＣＤ２０２と、該表示用ＬＣＤ２０２に表示される画面内のカーソルの位置を移動して複写モードの設定を行うためのカーソル移動キー２０３と、表示用ＬＣＤ２０２に表示されている画面においてカーソルのある位置の複写モードの設定を決定する際に用いる決定キー２０４と、複写倍率を一時的に変更する一時変倍キー２０５と、複写動作を開始するためのスタートキー２０６とを備える。
【００１６】
（２）表示制御方法
本発明の表示制御装置は、従来の表示制御装置が１画面分のフレームメモリしか備えていなかったのに対して、複数のフレームメモリを備えることを特徴とする。このため、使用者が複写機の動作モードを設定する際、上記複数のフレームメモリに各動作モード設定画面を格納することでモード設定画面を階層的に表示することが可能となり、表示画面を切り替えるたびに画面のデータをフレームメモリに作成し格納する従来の表示制御方法と比べ、画面の切換処理の高速化を図ることが可能となる。
【００１７】
より具体的には、本発明の表示制御装置は、図１１（ａ）及至（ｄ）に示されるように予め複数のフレームメモリに動作モードの設定画面を作成する。ここで、使用者が操作パネル２００を操作すると、これに応じて画面を切り替える。これにより従来の１画面分のフレームメモリに必要に応じて画面を展開する表示制御装置と比べ、表示画面の切換処理の高速化を図ることが可能となるのである。
【００１８】
＜２−１＞  制御ブロック
図３は、本発明に係る表示制御装置の制御ブロック図である。表示制御装置は、該装置を制御するＣＰＵ１０１と、該制御を実行するためのプログラムを格納するＲＯＭ１０２と、後に詳しく説明するフレームメモリ部１１０に展開するフォント及びメッセージからなるデータを格納する不揮発性メモリ１０３と、表示用ＬＣＤ２０２に表示するために不揮発性メモリ１０３に格納されているフォント及びメッセージからなるデータを一時的に格納するフレームメモリ１及至４を備えるフレームメモリ部１１０と、フレームメモリ部１１０の各フレームメモリ１及至４に格納されている複数の画面から１つを選択して図２に示した表示用ＬＣＤ２０２に該画面のデータを転送するディスプレイコントローラ１０４と、図２に示した操作パネル２００上に配設される表示用ＬＣＤ２０２とから構成される。
【００１９】
上記ＣＰＵ１０１には、キー入力、紙づまり、複写用紙ぎれ、その他のトラブル等の状態変化情報信号が入力される。ＣＰＵ１０１は、これに基づいて各制御デバイスを制御する。
【００２０】
ＲＯＭ１０２は、ＣＰＵ１０１に入力された状態変化信号の解析を実行するプログラムと、上記不揮発性メモリ１０３、フレームメモリ部１１０及びディスプレイコントローラの制御プログラムを格納している。ここで、ＣＰＵ１０１は上記各プログラムを実行し、フォント及びメッセージからなるデータの内、所定のデータをフレームメモリ部１１０内のいずれのフレームメモリに格納するかを決定する。またさらにＣＰＵ１０１は、デイスプレイコントロ−ラ１０４にフレームメモリ部１１０のフレームメモリ１及至４に対応するステートフラグの値を出力し、該当するフレームメモリ内に格納されている画像を表示用ＬＣＤ２０２に出力させる。
【００２１】
不揮発性メモリ１０３は、フレームメモリ１１０に展開する画面のデータ（フォント）及びフォントの結合内容であるメッセージデータ（ａ０，ａ１，…，ａｎ−１，ａｎ）が格納されている。
【００２２】
フレームメモリ部１１０は、書き換え可能な不揮発性メモリ（ＲＡＭ）で構成されており、表示用ＬＣＤ２０２の１画面当たりの全ビットデータ量と少なくとも同じ容量を備える複数の画面分のフレームメモリを備える。本実施例では、４画面分のフレームメモリ１及至４を備えることとする。また、各フレームメモリはメモリフラグ１及至４を持つ。ここで、フレームメモリ内に画面データを格納していない場合、メモリフラグは、値０を持ち、またフレームメモリ内に画面データを格納している場合、メモリフラグは、値１を持つものとする。
【００２３】
ディスプレイコントローラ１０４は、上記ＲＯＭ１０２内に格納されている制御プログラムをＣＰＵ１０１が実行することで得られるステートフラグの値に対応するフレームメモリを表示アドレスに設定し、該フレームメモリに格納されている画面を表示用ＬＣＤ２０２に表示する。
【００２４】
＜２−２＞  動作モード設定時の表示処理メインルーチン
図４は、使用者が表示制御装置において、複写機の動作モードを設定する際にＣＰＵ１０１が実行する処理のメインルーチンを示す。
【００２５】
複写機の電源がオンにされた際、もしくは所定の複写処理が終了した際に、ＣＰＵ１０１は、後に詳しく説明するようにＳ１００においてＣＰＵ１０１のポート設定、フレームメモリ部１１０が備えるフレームメモリ２及至４のクリア、メインルーチンの時間制御を実行するための内部タイマーの設定、フレームメモリ１に初期表示画面を格納する等の初期設定を実行する。
【００２６】
次に、ＣＰＵ１０１は次のＳ１０において上記Ｓ１００の初期設定で設定された内部タイマーをスタートさせる。ＣＰＵ１０１は、内部タイマーをスタートさせた後、後に詳しく説明するようにＳ２００において使用者により複写倍率の一時的変更を実行するための一時変倍キー２０５が押下された場合における一時変倍処理ルーチンを実行する。
【００２７】
またＣＰＵ１０１は、後に詳しく説明するようにＳ３００では、使用者により現在表示用ＬＣＤ２０２で表示されている画面内のカーソルの位置を移動させるカーソル移動キー２０３が押下された場合に、カーソルの位置を他の複写モードの位置へ移動するカーソル移動キー処理を実行する。
【００２８】
またさらにＣＰＵ１０１は、後に詳しく説明するようにＳ４００において、使用者が操作パネル２００内の表示用ＬＣＤ２０２に表示されている画面内の複写モードの選択をカーソルを移動して行った後に該複写モードの選択を決定するための決定キー２０４を押下した場合に実行される決定キー処理を実行する。
【００２９】
ＣＰＵ１０１は、後に詳しく説明するようにＳ５００では、上記Ｓ２００，Ｓ３００及びＳ４００で設定されたステートフラグの値を基にしてフレームメモリ１及至４へ画面を展開し、必要な場合にはカーソルを各々のフレームメモリへ書き込み、ステートフラグの値に対応するフレームメモリに格納される画面を表示用ＬＣＤ２０２に表示するための画面切換処理を実行する。
【００３０】
最後にＣＰＵ１０１は、Ｓ６００でその他の処理を実行した後に、内部タイマーの終了を待って（Ｓ２０）、上記処理Ｓ１０からＳ２０の各処理を繰り返す。
【００３１】
次に、上記メインルーチンで述べた各処理Ｓ１００，Ｓ２００，Ｓ３００，Ｓ４００及びＳ５００の各表示制御処理について添付の図面を用いて詳細に説明する。
【００３２】
図５は、初期設定処理Ｓ１００のフローチャートである。初期設定処理が実行されると、まずＳ１０１では、メモリフラグ２に０が入力される。Ｓ１０２では、メモリフラグ３に０が入力される。Ｓ１０３では、メモリフラグ４に０が入力される。次に、Ｓ１５０において初期画面展開処理が実行される。初期画面展開処理は、後に詳しく説明する図６（ａ）に示される処理を実行することにより図６（ｂ）に示される初期画面をフレームメモリ１に展開する。初期画面展開処理Ｓ１５０が終了した後、Ｓ１０４においてＣＰＵ１０１は、フレームメモリ１のメモリフラグ１の値を１にすると共に、Ｓ１０５でポートの初期設定等その他の処理を実行した後に初期設定処理を終了する。
【００３３】
初期画面展開処理Ｓ１５０では、まず図６（ｂ）に示されるようにフレームメモリ１内のエリア１へ「コピーできます」のデータを書き込む（Ｓ１５１）。次にエリア２に「×１．０００」のデータを書き込む（Ｓ１５２）。更にエリア３には、「Ａ４」のデータを書き込み（Ｓ１５３）、エリア４には、複写枚数を示す「１」のデータを書き込む（Ｓ１５４）。次のＳ１５５では、ディスプレイコントローラ１０４の表示アドレスをフレームメモリ１に設定し、表示用ＬＣＤ２０２に表示させた後にメインルーチンへリターンする。
【００３４】
図７は、一時変倍キー処理Ｓ２００のフロチャートを示す。ここでは、使用者により、一時的に複写倍率を変更するための一時変倍キー２０５が押下された場合、次の画面に進むのか、もしくは前の画面に戻るのかの判断処理を実行する。
【００３５】
使用者により一時変倍キー２０５が押下された場合には（Ｓ２０１）、ステートフラグの値をチェックし、その値により次の画面に進むのか、もしくは前の画面に戻るのかを判断して以下の処理を実行する（Ｓ２０２及至Ｓ２０９）。しかし、一時変倍キー２０５が押下されていない場合には、上記各処理をスキップしてメインルーチンへリターンする。
【００３６】
一時変倍キー２０５が押下された際、ステートフラグの値が１、即ち現在、図１１（ａ）に示される初期画面が表示用ＬＣＤ２０２に表示されている場合には、Ｓ２０３においてステートフラグの値を２に変更する。
【００３７】
一時変倍キー２０５が押下された際、ステートフラグの値が２、即ち図１１（ｂ）に示されるように表示用ＬＣＤ２０２に既に一時変倍モードの画面であって、変倍方法の選択画面が表示されている場合には、Ｓ２０５においてステートフラグの値を１に変更して初期画面に戻る処理を実行する。
【００３８】
一時変倍キー２０５が押下された際、ステートフラグの値が３、即ち図１１（ｃ）に示されるように表示用ＬＣＤ２０２に既に一時変倍モードの画面であって、変倍モードの内、原稿用紙と複写後の用紙サイズをテンキー２０１から入力する画面が表示されている場合には、Ｓ２０７においてステートフラグの値を２に変更して一つ前の変倍モードの選択画面に戻る処理を実行する。
【００３９】
一時変倍キー２０５が押下された際、ステートフラグの値が４、即ち図１１（ｄ）に示されるように表示用ＬＣＤ２０２に既に一時変倍モードの画面であって、変倍モードの内、変倍率をテンキー２０１より入力する画面が表示されている場合には、Ｓ２０９においてステートフラグの値を２に変更して一つ前の変倍モード選択画面に戻る処理を実行する。
【００４０】
図８は、カール移動キー処理Ｓ３００のフロチャートを示す。使用者が操作パネル上の表示用ＬＣＤ２０２の表示に従って複写モードを設定するためには、表示用ＬＣＤ２０２内のメニュのカーソル（＊：アスタリスク）を移動することが必要な場合がある。ここでは、使用者がカーソル移動キー２０３を押下した際（Ｓ３０１）、ステートフラグの値が２もしくは３である場合、即ち図１１（ｂ）及び（ｃ）に示される画面が表示用ＬＣＤ２０２に表示されている場合には（Ｓ３０２）、Ｓ３０３及至Ｓ３０５の処理により現在のカーソルの位置からもう一方の位置へカーソルを移動させた後にメインルーチンへリターンする。また、カーソル移動キー２０３が押下されていない場合、及びキー２０３は、押下されたがステートフラグの値が２もしくは３ではない場合には、上記処理をスキップしてメインルーチンへリターンする。
【００４１】
図９は、決定キー処理Ｓ４００を示す。ステートフラグの値が２及び３、もしくはステートフラグの値が４の場合、即ち使用者が表示用ＬＣＤ２０２上に表示される画面内のカーソルの位置の複写機の動作モードを選択設定する場合もしくはテンキー２０１を用いて数値を入力設定する際には、決定キー２０４を押下して次の処理を実行する必要がある。
【００４２】
決定キー２０４が押下された際に、ステートフラグの値が１である場合、表示されている画面は初期画面であるため決定する必要はなく、そのままリターンされる（Ｓ４０２）。
【００４３】
決定キーが押下された際にステートフラグの値が２である場合（Ｓ４０３）であって、カーソルの位置が上に在る時はステートフラグの値を４に（Ｓ４０５）、またカーソルが下に在る時にはステートフラグの値を３に変更する（Ｓ４０６）。
【００４４】
また、決定キーが押下された際にステートフラグの値が３である場合（Ｓ４０７）であって、カーソルの位置が上の場合、ＣＰＵ１０１は変倍率の設定が終了していないものと判断してそのままリターンする（Ｓ４０８）。カーソルキーの位置が下に在る場合、ＣＰＵ１０１は、表示されている画面に入力設定されている変倍率で複写動作を実行する（Ｓ４０９）。ＣＰＵ１０１は、複写動作の後に表示画面のステートフラグの値を１として（Ｓ４１０）、表示画面を初期画面に戻す。
【００４５】
決定キーが押下された際にステートフラグの値が４である場合（Ｓ４１１）、ＣＰＵ１０１は、設定された変倍率で複写動作を実行する（Ｓ４１２）。ＣＰＵ１０１は、複写動作の後に表示画面のステートフラグの値を１として（Ｓ４１３）、表示画面を初期画面に戻す。
【００４６】
図１０は、表示画面切換処理Ｓ５００のフローチャートを示す。ここでは、上記Ｓ２００，Ｓ３００及びＳ４００の各処理により設定されたステートフラグの値に従って、表示用ＬＣＤ２０２にステートフラグの値に対応する画面を表示し、さらにカーソルの必要な画面（ステートフラグの値が２もしくは３）の場合にはこれを表示する処理を実行する。
【００４７】
Ｓ５０１においてステートフラグの値が１の場合、ＣＰＵ１０１は、図１１（ａ）に示されるようにＳ５０２でフレームメモリ１に初期画面を設定する。また、メモリフラグ１の値が０の場合には値を１に変更する。
【００４８】
Ｓ５０３においてステートフラグの値が２の場合、ＣＰＵ１０１は、図１１（ｂ）に示されるようにＳ５０４でフレームメモリ２に一時変倍の実行モードを選択する画面を設定する。また、メモリフラグ２の値が０の場合には値を１に変更する。
【００４９】
Ｓ５０５におてステートフラグの値が３の場合、ＣＰＵ１０１は、図１１（ｃ）に示されるようにＳ５０６でフレームメモリ３に上記選択画面で選択された変倍画面を設定する。また、メモリフラグ３の値が０の場合には値を１に変更する。
【００５０】
Ｓ５０７においてステートフラグの値が４の場合、ＣＰＵ１０１は、図１１（ｄ）に示されるようにＳ５０８でフレームメモリ４に上記選択画面で選択された変倍画面を設定する。また、メモリフラグ４の値が０の場合には値を１に変更する。
【００５１】
ステートフラグの値が２もしくは３であって表示画面にカーソルが必要な場合に、Ｓ５０９においてカーソルフラグの値が０の時には、Ｓ５１０で画面左上部に＊（アスタリスク）マークをフレームメモリに格納し、Ｓ５１１においてカーソルフラグの値が１の時には、Ｓ５１２で画面左下部に＊マークをフレームメモリに格納する。
【００５２】
次にＳ５１３においてＣＰＵ１０１は、ステートフラグの値に該当するフレームメモリを表示アドレスとしてディスプレイコントローラ１０４に設定し、表示用ＬＣＤ２０２に該画面を表示させる。以上の処理を終了した後にＳ３０２においてその他の処理を実行し、Ｓ３０３において内部タイマーの終了を待った後に、再び内部タイマー処理（Ｓ３０１）に戻り上記Ｓ３０１からＳ３０３の処理を繰り返す。
【００５３】
【発明の効果】
上記表示制御装置を備える機器を用いることで、上記複数のフレームメモリに階層的に表示した画面を格納しておくことが可能となり、フレームメモリを１つしか備えていなかった従来例と比べてモード設定を修正するために表示部の表示画面を１つ前に切り替える処理の高速化を図ることができる。
【図面の簡単な説明】
【図１】本発明の表示制御装置を備える複写機の全体構成図である。
【図２】図１に示した複写機の操作パネル２００である。
【図３】本発明に係る表示制御装置の制御ブロック図である。
【図４】使用者により複写モードを設定する際の表示制御装置の処理メインフロチャートを示す図である。
【図５】図４のメインフロチャートに示される初期設定処理（Ｓ１００）のフロチャートを示す図である。
【図６】（ａ）は、初期画面展開処（Ｓ１５０）理の処理フロチャートを示し、（ｂ）は、該処理により表示用ＬＣＤに展開される初期画面である。
【図７】一時変倍キー処理（Ｓ２００）のフロチャートを示す図である。
【図８】カーソル移動キー処理（Ｓ３００）のフロチャートを示す図である。
【図９】決定キー処理（Ｓ４００）のフロチャートを示す図である。
【図１０】表示画面切換処理（Ｓ５００）のフロチャートを示す図である。
【図１１】（ａ）は、ステートフラグの値が１である場合に表示用ＬＣＤ２０２に表示される初期画面を示し、（ｂ）は、ステートフラグの値が２である場合に表示用ＬＣＤ２０２に表示される選択画面を示し、（ｃ）は、ステートフラグの値が３である場合に表示用ＬＣＤ２０２に表示される画面を示し、（ｄ）は、ステートフラグの値が４である場合に表示用ＬＣＤ２０２に表示される画面を示す。
【符号の説明】
１０１…ＣＰＵ
１０２…ＲＯＭ
１０３…不揮発性メモリ
１０４…ディスプレイコントローラ
１１０…フレームメモリ部
２０２…表示用ＬＣＤ
【図１】
0003624215.tif 000002
【図２】
0003624215.tif 000003
【図３】
0003624215.tif 000004
【図４】
0003624215.tif 000005
【図５】
0003624215.tif 000006
【図６】
0003624215.tif 000007
【図７】
0003624215.tif 000008
【図８】
0003624215.tif 000009
【図９】
0003624215.tif 000010
【図１０】
0003624215.tif 000011
【図１１】
0003624215.tif 000012